(57)【要約】【課題】  カバー部（摺動部位）がディスクに付着したりディスクを傷つけたりすることを防止することの可能な光学ヘッドを提供する。【解決手段】  本ディスク装置では、光ディスク１００に近接する光学ヘッド２１０のカバー部２１３の材料として、光ディスク１００の光ビーム入射面１０１との静止摩擦係数が０．４以下である材料を用いている。これにより、光ディスク１００の光ビーム入射面１０１に対する付着物や傷の発生を防止できる。従って、付着物や傷に起因する記録・再生の不具合を回避できるとともに、光ディスク１００およびカバー部２１３の損傷を抑制することが可能となる。【選択図】  図１
2006107617.tif 000002
【特許請求の範囲】
【請求項１】
光記録媒体に対して情報の記録あるいは再生の少なくとも一方を行う媒体駆動装置に備えられる光学ヘッドにおいて、
光記録媒体に近接する摺動部位におけるポリカーボネートとの静止摩擦係数が０．４以下であり、かつ、この摺動部位が１６０℃以下の温度で液化しないことを特徴とする光学ヘッド。
【請求項２】
上記摺動部位が、アクリル系紫外線硬化樹脂からなることを特徴とする請求項１に記載の光学ヘッド。
【請求項３】
請求項１あるいは２に記載の光学ヘッドを備えた光学ピックアップ装置。
【請求項４】
請求項３に記載の光学ピックアップ装置を備えた光ディスク装置。
【請求項５】
光記録媒体に対して情報の記録あるいは再生の少なくとも一方を行う媒体駆動装置に備えられる光学ヘッドの製造方法において、
光記録媒体に近接する摺動部位の材料として、ポリカーボネートとの静止摩擦係数が０．４以下であり、かつ、１６０℃以下の温度で液化しない材料を用いることを特徴とする光学ヘッドの製造方法。
【発明の詳細な説明】
【技術分野】
【０００１】
本発明は、光記録媒体に対して情報の記録あるいは再生の少なくとも一方を行う媒体駆動装置に備えられる光学ヘッドに関するものである。
【背景技術】
【０００２】
従来、情報を記録する媒体として、光ディスク（光情報記録媒体）が開発されている。
【０００３】
この光ディスクに対する情報の記録・再生を行う光ディスク装置は、光ピックアップ（光学ピックアップ装置）を備えている。
光ピックアップは、光ビーム発生器（半導体レーザーなど）から発生させた光ビームを、対物レンズによって集光し、光ディスクの記録面上に所定の径の光スポット（集光スポット）を形成する。そして、この光スポットにより、光ディスクに対して情報の記録や再生を行うようになっている。
【０００４】
なお、光ディスク（円盤状光情報記録媒体）としては、例えば、ＣＤ(Compact disk)，ＣＤ−ＲＯＭ(Compact disk-Read Only Memory)，ＣＤ−Ｒ(Compact Disk-Recordable)，ＣＤ−ＲＷ(Compact disk ReWritable)，ＤＶＤ，ＤＶＤ-ＲＯＭ，ＤＶＤ−Ｒ，ＤＶＤ−ＲＷ，ＢＤ（Blue-ray Disc），ＢＤ（Blue-ray Disc）−ＲＯＭ等を挙げられる。
【０００５】
ところで、光ディスク装置では、光スポットを形成する対物レンズの位置を調整するために、フォーカスサーボが用いられている。フォーカスサーボが外れると、対物レンズと光ディスクとが衝突して損傷を受け、情報の記録・再生を行えなくなるおそれがある。
【０００６】
また、ＢＤ，ＢＤ−ＲＯＭといった大容量の光ディスクでは、情報の記録密度が高いために、対物レンズのＮＡを向上させる必要がある。このため、対物レンズと光ディスクとの距離をより接近させるため、レンズとディスクとの衝突の危険性が高くなる。
【０００７】
そこで、従来、対物レンズを保持するレンズホルダーにおける光ディスクとの対向面に、不織布やフェルト等の緩衝材（レンズプロテクター）を配置する技術が開発されている。
この技術では、フォーカスサーボが外れた場合に、緩衝材によって、対物レンズと光ディスクとの衝突を回避し、両者の損傷を防止するようになっている。
また、特許文献１には、レンズプロテクターに、軟らかく滑り性の高い樹脂（例えばフッ素系樹脂）を緩衝材として設ける技術が記載されている。
【特許文献１】特開２００２−２２２５３５号公報（公開日；２００２年８月９日）
【非特許文献１】材料試験技術講習会（超微小硬さによる材料評価）資料；『超微小硬さの基礎』；福田勝巳（東京大学工学部）、１９９５年１０月１２日
【発明の開示】
【発明が解決しようとする課題】
【０００８】
しかしながら、従来の光ディスク装置では、以下のような問題がある。
すなわち、不織布やフェルト等の緩衝性を有する材料では、特許文献１にも指摘があるように、緩衝材から糸クズ等のゴミが擦り取られて装置内に飛散し、故障の原因となる。
【０００９】
また、特許文献１に記載のようなレンズプロテクターは、滑り性の良いフッ素系樹脂で構成されてはいるが、プロテクターに衝突する光ディスク面（基板面）の材質によっては、大きな摩擦力を受けることもある。
また、最近では、ＣＤ−ＲＯＭ、ＤＶＤ等を取り扱う光ディスク装置で、光ディスクを高速回転させるものが多くなってきている。このため、プロテクターと光ディスクとの接触（衝突）時の摩擦が小さくても、比較的短時間に連続的に接触が起こるため、摩擦の影響を無視できなくなる。
【００１０】
このため、衝突時の摩擦によって生じる温度上昇（熱）により、プロテクターの端面が溶解（液化）して光ディスクに付着したり、プロテクターの材料の粉が光ディスクや対物レンズに付着したり、光ディスク面に傷が生じたりするという不具合が発生することがある。
このような不具合は、光ディスクに対する記録・再生に悪影響を与えるだけでなく、ユーザーの所有物である光ディスク装置や光ディスクの損傷を招来するため、大きな問題であるといえる。
【００１１】
本発明は、上記のような従来の問題点に鑑みてなされたものである。そして、その目的は、上記のようなプロテクターなどの摺動部位の材料がディスクに付着すること、および、摺動部位によってディスクを傷つけることを防止することの可能な光学ヘッドを提供することにある。
【課題を解決するための手段】
【００１２】
上記の目的を達成するために、本発明の光学ヘッド（本光学ヘッド）は、
光記録媒体に対して情報の記録あるいは再生の少なくとも一方を行う媒体駆動装置に備えられる光学ヘッドにおいて、
光記録媒体に近接する摺動部位におけるポリカーボネートとの静止摩擦係数が０．４以下であり、かつ、この摺動部位が１６０℃以下の温度で液化しないことを特徴としている。
【００１３】
本光学ヘッドは、光記録媒体に対する情報の記録・再生を行う媒体駆動装置（光ディスク装置など）に備えられる光学ヘッドである。
ここで、光学ヘッドとは、光記録媒体にアクセス（近接）して移動しながら、光記録媒体からの情報の読み出し、あるいは、光記録媒体に対する情報の記録を行う部材である。
【００１４】
本光学ヘッドのような光学ヘッドでは、光記録媒体に近接する部位が、一時的あるいは恒常的に、光記録媒体に接して、媒体上を摺動（スライド；接触、衝突による極わずかな時間の摺動も含む）する可能性がある。
そして、本光学ヘッドでは、光記録媒体に近接する部位（摺動部位；媒体上を摺動する可能性のある部位）が、ポリカーボネートとの静止摩擦係数が０．４以下であり、かつ、１６０℃以下の温度で液化しない材料から構成されている。
ここで、「液化しない」とは、「摺動部位をなす固体が、温度上昇に伴って炭化あるいは昇華する、または、１６０℃より高い温度で液化する」ことを示す。
【００１５】
光記録媒体（例えばBlue-ray Disc）は、ポリカーボネート樹脂を表面材料とする場合、現状では最も生産が容易となる（媒体のカバー層としてポリカーボネートフィルムを用いると、媒体の生産が容易となる。また、ポリカーボネート樹脂は、他の光記録媒体においても最も頻繁に用いられる材料であり安価である）。また、通常、ポリカーボネート樹脂より軟らかく潤滑性能の低い表面材料を有する光ディスクは生産されないと考えられる。
すなわち、ポリカーボネートは、光記録媒体の表面材料としては、現時点で最も生産が容易で最も摺動性の悪い材料である。
また、従来において摺動部位の材料として用いられているフッ素系潤滑材含有ポリアセタール樹脂は、１６０℃で液化する（融点が１６０℃である）ものである。
【００１６】
そして、本願発明者らは、摺動部位と光記録媒体の表面材料との静止摩擦計数が０．４以下であり、摺動部位の融点が１６０℃以下である場合に、摺動部位と光記録媒体との接触（衝突）による接触摩擦熱（摩擦熱）で摺動部位が溶解（液化）しない（すなわち、摺動部位と光記録媒体の表面材料との静止摩擦計数が０．４以下の場合、摩擦熱が１６０℃に到達しない）ことを見いだした（この点に関しては、後述する〔発明を実施するための最良の形態〕を参照されたい）。
【００１７】
従って、この条件を満たす材料で摺動部位を形成すれば、光記録媒体の表面材料がポリカーボネートであっても、摺動部位の材料が溶解して光記録媒体の表面に付着することを抑制できるといえる。
【００１８】
また、上記したように、ポリカーボネートより摺動性の悪い材料はない。このため、ポリカーボネートとは異なる材料（ポリカーボネートよりも摺動性の高い材料）を表面材料とする光記録媒体を扱う場合でも、上記の条件を満たしていれば、摺動部位の溶解を防止できることは明らかである。
また、摺動部位を上記のような低摩擦係数の材料とすることにより、光記録媒体に対して傷を付けることも防止できる。
【００１９】
従って、本光学ヘッドでは、光記録媒体に対する記録・再生を良好に（信頼性の高い状態で）行えるとともに、ユーザーの所有物である媒体駆動装置や光記録媒体の損傷を抑制することが可能となる。
なお、このような数値範囲を満足する材料としては、例えば、アクリル系紫外線硬化樹脂を挙げられる。
【００２０】
また、本光学ヘッドには、対物レンズと、この対物レンズを保持するレンズプロテクターとを備えることが好ましい。この場合、レンズプロテクターにおける光記録媒体との近接面が、上記の摺動部位となる。
【００２１】
また、本光学ヘッドは、通常、光ディスク装置の光学ピックアップ装置に備えられる。この光学ピックアップ装置は、光学ヘッドを備えた状態で光記録媒体上を移動でき、かつ、光学ヘッドの配置（向き）を微調整することの可能なものである。
【００２２】
また、本発明における光学ヘッドの製造方法（本製造方法）は、
光記録媒体に対して情報の記録あるいは再生の少なくとも一方を行う媒体駆動装置に備えられる光学ヘッドの製造方法において、
光記録媒体に近接する摺動部位の材料として、ポリカーボネートとの静止摩擦係数が０．４以下であり、かつ、１６０℃以下の温度で液化しない材料を用いることを特徴とする方法である。
【００２３】
本製造方法は、上記した本光学ヘッドを製造するための方法である。
従って、本製造方法を用いれば、光記録媒体と接触摩擦によって溶解（液化）しにくく、また、光記録媒体を傷つけない摺動部位を有するヘッドを製造できる。
これにより、光記録媒体に対する記録・再生を良好に行えるとともに、ユーザーの所有物である媒体駆動装置や光記録媒体の損傷を抑制することが可能となる。
【発明の効果】
【００２４】
以上のように、本発明の光学ヘッド（本光学ヘッド）は、
光記録媒体に対して情報の記録あるいは再生の少なくとも一方を行う媒体駆動装置に備えられる光学ヘッドにおいて、
光記録媒体に近接する摺動部位におけるポリカーボネートとの静止摩擦係数が０．４以下であり、かつ、この摺動部位が１６０℃以下の温度で液化しない構成である。
【００２５】
本光学ヘッドでは、光記録媒体に近接する部位（摺動部位；媒体上を摺動する可能性のある部位）が、ポリカーボネートとの静止摩擦係数が０．４以下であり、かつ、１６０℃以下の温度で液化しない材料から構成されている。
【００２６】
従って、光記録媒体の表面材料がどのような材料であっても、摺動部位の材料が溶解して光記録媒体の表面に付着することを抑制できるとともに、光記録媒体に対して傷を付けることも防止できる。
【００２７】
従って、本光学ヘッドでは、光記録媒体に対する記録・再生を良好に行えるとともに、ユーザーの所有物である媒体駆動装置や光記録媒体の損傷を抑制することが可能となる。
【発明を実施するための最良の形態】
【００２８】
本発明の一実施形態について説明する。
本実施の形態にかかる光ディスク装置（本ディスク装置）は、光ディスクに対して情報を記録するとともに、光ディスクに記録された情報を再生するためのものである。
【００２９】
図２は、本ディスク装置の構成を示す説明図である。
この図に示すように、本ディスク装置は、メカデッキ１上に、スピンドルモータ２,光学ピックアップ装置２００を備えた構成である。
さらに、本ディスク装置は、メカデッキ１の外部に、レーザー制御回路３，サーボ機構４，記録系データ制御部５，信号検出回路６，エラー検出システム７，信号処理回路８を備えている。
【００３０】
スピンドルモータ２は、図示しないターンテーブルを備えており、光ディスク１００を回転させるものである。
光学ピックアップ装置２００は、回転中の光ディスク１００に対し、その半径方向に移動しながらレーザー光Ｌを照射するものである。本ディスク装置では、このレーザー光Ｌの照射により、光ディスク１００に対し、情報の記録あるいは再生を行うようになっている。
【００３１】
この光学ピックアップ装置２００は、メカデッキ１上に備えられた、図示しないスライドベース上に配置されている。このスライドベースは、ターンテーブルに保持された光ディスク１００の半径方向に関し、移動自在に設けられている。
【００３２】
また、光学ピックアップ装置２００は、光ディスク１００に対する情報の再生時には、再生用のレーザー光Ｌを光ディスク１００に照射し、その反射光を受光して電気信号に変換して出力する機能を有している。
また、光学ピックアップ装置２００は、光ディスク１００に対する情報の記録時、記録用のレーザー光Ｌを光ディスク１００に照射するように設計されている。なお、光学ピックアップ装置２００の構成については、後に詳細に説明する。
【００３３】
サーボ機構４は、光学ピックアップ装置２００によって生成される電気信号に基づいて、フォーカスエラー信号およびトラッキングエラー信号を生成し、光学ピックアップ装置２００における半径方向の移動を制御するものである。
レーザー制御回路３は、光学ピックアップ装置２００の照射するレーザー光Ｌを制御するものである。
【００３４】
記録系データ制御部５は、光ディスク１００に対する情報記録時に、記録すべき情報に応じた信号（記録信号）をレーザー制御回路３に伝達するものである。
これにより、レーザー制御回路３は、光学ピックアップ装置２００を制御して、記録信号に応じた記録用のレーザー光Ｌを光ディスク１００に対して照射させるようになっている。
【００３５】
また、レーザー制御回路３は、光ディスク１００に対する情報の再生時には、光学ピックアップ装置２００を制御して、再生用のレーザー光Ｌを光ディスク１００に照射させるように設計されている。
なお、再生時に光学ピックアップ装置２００によって生成された電気信号（光ディスク１００の反射光に応じた電気信号）は、再生信号として信号検出回路６および信号処理回路８を経てエラー検出システム７に伝達され、処理される。これにより、光ディスク１００に記録されている信号の再生がなされる。
【００３６】
ここで、本ディスク装置の特徴的な構成である、上記した光学ピックアップ装置２００について説明する。
図１は、光学ピックアップ装置２００の構成を示す説明図である。
また、図３は、光学ピックアップ装置２００における対物レンズ２１１の近傍を示す断面図である。
これらの図に示すように、光学ピックアップ装置２００は、光源２０１，光検出器２０２，ビームスプリッター２０３，立ち上げミラー２０４，支持部２０５，２軸アクチュエーター２０６，光学ヘッド（可動部）２１０を備えた構成である。
【００３７】
光源２０１は、半導体レーザー装置からなるレーザー光源である。
立ち上げミラー２０４は、光源２０１から照射され、ビームスプリッター２０３を透過したレーザー光Ｌを反射し、その進路を、光学ヘッド２１０の方向に直角に曲げるものである。
【００３８】
光学ヘッド（アクセスヘッド）２１０は、光ディスク１００にアクセス（近接）して移動しながら、光ディスク１００からの情報の読み出し、あるいは、光ディスク１００に対する情報の記録を行う部材である。
そして、図１に示すように、光学ヘッド２１０は、対物レンズ２１１，対物レンズ２１１を保持するレンズプロテクター２１２、および、カバー部２１３を備えている。
【００３９】
対物レンズ２１１は、レンズプロテクター２１２における光ディスク１００に対向する端面（ディスク対向面）に形成されている。そして、立ち上げミラー２０４によって反射されたレーザー光Ｌを、光ディスク１００に集光するものである。
【００４０】
ここで、図３に示すように、光ディスク１００は、基板１０３上に、信号記録層１０２，光ビーム入射面１０１を積層した構成である。
そして、対物レンズ２１１は、レーザー光Ｌを、光ビーム入射面１０１を透過させて信号記録層１０２に集光するように設計されている。
【００４１】
また、対物レンズ２１１は、信号記録層１０２によって反射された反射レーザー光Ｌａを集光する機能も有している。
この反射レーザー光Ｌａは、立ち上げミラー２０４を経てビームスプリッター２０３に到達し、これによって進路を変えられ、光検出器２０２に入射する。
光検出器２０２は、反射レーザー光Ｌａを受光して電気信号を生成し、上記したサーボ機構４に伝達するものである。これにより、フォーカスエラー信号およびトラッキングエラー信号を得られる。
また、光検出器２０２は、光ディスク１００の再生時には、得られた電気信号を、再生信号として信号検出回路６にも伝達する。
【００４２】
また、図１に示した支持部２０５は、対物レンズ２１１を備えた光学ヘッド２１０を、２軸アクチュエーター２０６によって支持するものである。
そして、フォーカスエラー信号およびトラッキングエラー信号に基づいて、対物レンズ２１１の位置を、フォーカシング方向およびトラッキング方向に制御する機能を有している。
ここで、フォーカシング方向とは、光ディスク１００の面に対して離接する方向である。一方、トラッキング方向とは、光ディスク１００の面にほぼ平行な方向（半径方向）のことである。
【００４３】
２軸アクチュエーター２０６は、弾性を有する細い線材からなる４本のサスペンション２０９によって、光学ヘッド２１０を、フォーカシング方向・トラッキング方向に関して移動自在に支えている。
【００４４】
また、支持部２０５は、フォーカシング信号およびトラッキング信号に基づいて２軸アクチュエーター２０６を駆動するための、図示しない磁気回路を備えている。そして、この磁気回路によって２軸アクチュエーター２０６を制御し、光学ヘッド２１０の位置（対物レンズ２１１の位置）を、フォーカシング方向・トラッキング方向に微小に制御するようになっている。
【００４５】
この制御により、対物レンズ２１１が、レーザー光Ｌを、光ディスク１００の信号記録層１０２に形成された記録トラックまたは案内用グルーブをなぞり、かつ、記録トラック又は案内用グルーブ上に焦点を結べるようになっている。
【００４６】
また、光学ヘッド２１０では、対物レンズ２１１を保持するレンズプロテクター２１２のディスク対向面に、カバー部２１３が形成されている。
このカバー部（カバー面；摺動部位）２１３は、レンズプロテクター２１２における、対物レンズ２１１の周囲に突出した部分である。そして、対物レンズ２１１が光ディスク１００の光ビーム入射面１０１に直接衝突することを防止する機能を有している。
【００４７】
また、特に、本ディスク装置では、このカバー部２１３が、「光ディスク１００における光ビーム入射面１０１の材料との静止摩擦係数が０．４以下の材料」から構成されている。
【００４８】
以下に、このカバー部２１３の材料について説明する。
表１は、光ディスク１００の光ビーム入射面１０１として用いられる可能性のある４種類のアクリル系紫外線硬化樹脂（以下、アクリル樹脂とする）Ａ〜Ｄおよびポリカーボネートにおける、塑性変形硬さ，フッ素系潤滑材含有ポリアセタール樹脂（特許文献１参照；以下、ポリアセタール樹脂とする）との静止摩擦係数を示す表である。
【００４９】
なお、ポリアセタール樹脂の塑性変形硬さは、２４．３であり、また、融点は１６０℃である。
【００５０】
【表１】
2006107617.tif 000003
【００５１】
ここで、ポリアセタール樹脂は、カバー部２１３として使用可能な材料である。
また、塑性変形硬さとは、ビッカース硬さ相当であり、値が大きいほど硬いことを示している。ＰＣの塑性変形硬さは２７．５である。
【００５２】
また、表２は、表１に示す材料で光ビーム入射面１０１を形成し、この光ビーム入射面１０１に、ポリアセタール樹脂からなるカバー部２１３を３００００回衝突させ、光ビーム入射面１０１に残る傷あるいは付着物を確認した結果を示す表である。
この表２では、光ビーム入射面１０１に対するカバー部２１３の影響を、傷の深さ（−）、あるいは付着物の高さ（＋）によって示している。
【００５３】
【表２】
2006107617.tif 000004
【００５４】
なお、本実施の形態では、カバー部２１３の下地に関係なくカバー部２１３の硬さを評価でき、かつ様々な材料の硬さを互いに比較するために、表１に示した塑性変形硬さの値（ビッカース硬さ相当）を用いている。
なお、この塑性変形硬さは、超微小押し込み硬さ試験機（株式会社エリオニクス製：ＥＮＴ−１１００）を用いて測定している。この試験器を用いれば、コーティング材等の比較的薄く軟らかい皮膜の硬さを、高精度に、相対的な比較結果として測定することが可能となる。
すなわち、この測定では、コーティング材の下地に無関係に、コーティング材の硬さを測定できる（非特許文献１，（１）式参照参照）。
【００５５】
また、光ディスク１００の光ビーム入射面１０１とカバー部２１３とが衝突する際の摩擦は、瞬時に発生するものである。このため、衝突時の摩擦に関しては、動摩擦係数よりも静止摩擦係数の方がより支配的であると容易に推測できる。従って、表１には、摩擦を表す指標として、静止摩擦係数を示している。
【００５６】
表１・２より、カバー部２１３の材料としてポリアセタール樹脂（ＰＣとの静止摩擦係数０．６，塑性変形硬さ２４．３；表１(3)参照）を用いると、カバー部２１３自体の滑り性がよくなる。
また、このポリアセタール樹脂は、光ビーム入射面１０１を構成するアクリル樹脂よりも軟らかい（ポリアセタール樹脂の塑性変形硬さ：２４．３＜アクリル系紫外線硬化樹脂Ｃの塑性変形硬さ：３７．０）。
【００５７】
しかしながら、カバー部２１３にポリアセタール樹脂を用いる場合には、光ビーム入射面１０１上にポリアセタール樹脂が大きく付着してしまう（表２(4)参照）。
また、この場合、カバー部２１３より光ビーム入射面１０１が硬くとも軟らかくとも、光ビーム入射面１０１にカバー部２１３の材料が付着した(表２(1)，(3)〜(5)参照)。
【００５８】
さらに、これらの表より、カバー部２１３（ポリアセタール樹脂）との静止摩擦係数が大きい光ビーム入射面１０１ほど、付着物の大きくなることがわかる(表１(1)〜(5)，表２(1)〜(5)参照)。
【００５９】
すなわち、カバー部２１３の材料が光ビーム入射面１０１に付着することについては、光ビーム入射面１０１とカバー部２１３との相対的な硬さには関係なく、衝突時にカバー部２１３と光ビーム入射面１０１との間に発生する摩擦の大きさに依存することがわかる。
【００６０】
従って、カバー部２１３の材料が光ビーム入射面１０１に付着する原因は、これらの摩擦によって発生する熱により、カバー部２１３の材料が液化することにあると考えられる。
【００６１】
なお、光ビーム入射面１０１の材料としてアクリル樹脂Ｂを用いる場合は、ポリアセタール樹脂からなるカバー部２１３と衝突しても、付着物も傷も生じない（表２(2)参照）。
すなわち、融点１６０℃のポリアセタール樹脂をカバー部２１３として用いる場合、光ビーム入射面１０１とカバー部２１３との間の静止摩擦係数が０．４以下であれば、カバー部２１３が光ビーム入射面１０１より硬くとも、傷や付着物が生じないといえる。
【００６２】
したがって、カバー部２１３の材料が液化して光ビーム入射面１０１に付着する問題については、特許文献１の技術では解決できないといえる。
【００６３】
また、上記より、カバー部２１３と光ビーム入射面１０１との静止摩擦係数を０．４以下とすれば、光ビーム入射面１０１とカバー部２１３との衝突にとよって発生する摩擦熱が、１６０℃を超えないと考えられる。
従って、１６０℃より高い融点を有し、光ビーム入射面１０１との静止摩擦係数が０．４以下となるような材料をカバー部２１３に用いれば、光ビーム入射面１０１としてどのような材料を用いても（例えば、現状では最も生産が容易で最も潤滑性能の低いポリカーボネートを用いても）、カバー部２１３の溶解（光ビーム入射面１０１への融着）を防止できるといえる。
【００６４】
また、このようなカバー部２１３を用いる場合、光ビーム入射面１０１の材料として、カバー部２１３より軟らかいものを用いる場合でも、光ビーム入射面１０１に対する傷や付着物の発生を低減できる。
これにより、カバー部２１３（光学ピックアップ装置２００）および光ディスク１００の稼働時間（寿命）を長期化することが可能となる。
【００６５】
なお、カバー部２１３の材料として、アクリル系紫外線硬化樹脂（例えばフッ素系潤滑材含有アクリル系紫外線硬化樹脂）を用いてもよい。
このフッ素系潤滑材含有アクリル系紫外線硬化樹脂は、ポリカーボネート樹脂に対する静止摩擦係数０．３，塑性変形硬さ１１である。この樹脂をカバー部２１３の材料とし、ポリカーボネート樹脂からなる光ビーム入射面１０１に対して上記のような衝突試験を行った結果、光ビーム入射面１０１に対する傷や付着物の発生を０とできた。
【００６６】
また、光ディスク１００の光ビーム入射面１０１が、非常に摺動性の低い材料から構成されている場合、カバー部２１３とビーム入射面１０１との衝突で発生する熱は高くなる。従って、カバー部２１３の材料としては、このような場合でも、光ビーム入射面１０１との静止摩擦係数が０．４以下となるような材料を用いることが好ましい。
例えば、光ビーム入射面１０１を、透過性の高いシリコーン樹脂などで形成すると、その摺動性は非常に悪くなると予想される。従って、カバー部２１３の材料として、シリコーン樹脂との静止摩擦係数が０．４以下となる材料を用いることが好ましい。
【００６７】
また、光ディスク１００の光ビーム入射面１０１は、ポリカーボネート樹脂を材料とする場合、現状では最も生産が容易となる。また、通常、ポリカーボネート樹脂を用いた光ビーム入射面１０１より軟らかく潤滑性能の低い光ビーム入射面を有する光ディスクは生産されないと考えられる。
従って、カバー部２１３として、融点が１６０℃より高く、ポリカーボネート樹脂に対する静止摩擦係数が０．４以下となる材料を用いることも好ましい。これにより、非常に一般的な光ディスク１００の光ビーム入射面１０１に対して、傷や付着物を発生させることを防止できる。
【００６８】
また、カバー部２１３（およびレンズプロテクター２１２）として、融点が１６０℃より高く、光ビーム入射面１０１との静止摩擦係数が０．４以下のアクリル樹脂を用いてもよい。この場合、潤滑性を向上させるための潤滑剤を含有させることや、レンズプロテクター２１２におけるディスク対向面あるいはカバー部２１３に潤滑剤をコーティングすることが、比較的容易になる。
【００６９】
例えば、アクリル樹脂Ｂにフッ素系潤滑剤を含有させることにより、融点を１６０℃より高くし、ポリカーボネート樹脂との静止摩擦係数を容易に０．４以下に低減できる。
この樹脂からなるカバー部２１３と、ポリカーボネート樹脂（ポリカーボネートフィルム）からなる光ビーム入射面１０１とを用いて上記の衝突実験を行った結果、光ビーム入射面１０１には傷も付着物も生じなかった。
このように、カバー部２１３としてアクリル樹脂を用いた場合、光ビーム入射面１０１の材料としてアクリル樹脂より硬い（傷つきやすい）材料を用いた場合でも、光ビーム入射面１０１に対する傷や付着を防止できる。
【００７０】
また、本ディスク装置において再生可能な光ディスク（光学読取式のディスク）１００としては、ＣＤ（Compact  disk），ＣＤ−ＲＯＭ（Compact  disk-Read  Only  Memory），ＣＤ−Ｒ（Compact  disk-Recordable），ＣＤ−ＲＷ（Compact  disk  ReWritable），ＤＶＤ，ＤＶＤ−ＲＯＭ，ＤＶＤ−Ｒ，ＤＶＤ−ＲＷ，ＢＤ（Blu-ray  Disc），ＢＤ（Blu-ray  Disc）−ＲＯＭ，光磁気ディスク、相変化型ディスク等の、種々の光ディスクを挙げられる。
【００７１】
また、本実施の形態では、カバー部２１３の材料として、融点が１６０℃より高く、光ビーム入射面１０１との静止摩擦係数が０．４以下の材料を用いることが好ましいとしている。
しかしながら、これに限らず、カバー部２１３の材料として、光ビーム入射面１０１との静止摩擦係数が０．４以下であって、温度上昇に伴って炭化あるいは昇華する材料を用いてもよい。
この場合でも、カバー部２１３の溶解（光ビーム入射面１０１への融着）を防止できる。
すなわち、カバー部２１３の材料としては、光ビーム入射面１０１との静止摩擦係数が０．４以下であって、１６０℃以下の温度で液化しない（１６０℃より高い温度で液化する、あるいは、温度上昇に伴って炭化または昇華する）材料を用いることが好ましいといえる。
【００７２】
また、本ディスク装置を、光ディスク１００のような円盤状の媒体ではなく、他の形状の媒体を再生するように設計してもよい。
このように、本発明は、記録の方式や媒体の大きさに依存するものではない。
【００７３】
また、本実施の形態では、光学ピックアップ装置２００における光源２０１が半導体レーザー装置からなるとしている。しかしながら、光学ピックアップ装置２００の光源２０１としては、半導体レーザー装置に限らず、他の光源（例えばＬＥＤなど）から構成してもよい。
【００７４】
また、本ディスク装置の光学ピックアップ装置２００を、レーザー光源と光検出器が一体にパッケージされたレーザカプラとして構成してもよい。
また、案内用グルーブのない光ディスク（例えばＲＯＭ）を取り扱う構成としてもよい。
【００７５】
また、図３に示した要部の断面図の構成は、基本的な構成を示したものであり、これに限定されるものではない。
例えば、図３の構成では、レンズプロテクター２１２が対物レンズ２１１を支持するレンズホルダーの役割も担っている。しかしながら、これに限らず、レンズプロテクターとレンズホルダーを別部品とすることも可能である。
また、図３の構成では、レンズプロテクター２１２の光ディスク側端面が平面となっている。しかしながら、この面は、球面であっても、凹凸のある面であってもよい。
【００７６】
また、本実施の形態では、本ディスク装置を、光ディスクに対して情報を記録するとともに、光ディスクに記録された情報を再生するものであるとしている。しかしながら、これに限らず、本ディスク装置は、光ディスクに対する情報の記録および再生のいずれか一方のみを実施する装置であってもよい。
また、本ディスク装置は、据え置き型の構成であっても、また、携帯可能な構成であってもよい。
【００７７】
また、本実施の形態では、本ディスク装置を、光ディスクに対して情報を記録するとともに、光ディスクに記録された情報を再生するためのものであるとしている。
しかしながら、これに限らず、本ディスク装置を、磁気ディスクに対して情報を記録するとともに、光ディスクに記録された情報を再生するための磁気ディスク装置としてもよい。
【００７８】
この構成では、本ディスク装置に、磁気ヘッドを備えることとなる。
この磁気ヘッドは、磁気ディスクに磁場を印加することにより情報を記録する一方、磁気ディスクの発生する磁場を検出して情報を再生するものである。
そして、この構成では、磁気ヘッドにおける磁気ディスクとの近接面（スライダー）に、磁気ディスクの表面材料との静止摩擦係数が０．４以下の材料を用いることが好ましい。さらに、この近接面として、１６０℃以下の温度で液化しない（高温で炭化あるいは昇華する、または１６０℃より高温で液化する）材料（樹脂）を用いることがさらに好ましい。
これにより、磁気ディスクにスライダーの材料が付着すること、および、スライダーによって磁気ディスクを傷つけることを回避できる。このため、付着物や傷に起因する記録・再生の不具合を回避できるとともに、磁気ヘッドおよび磁気ディスクの付着物による破損を抑制することが可能となる。
【００７９】
なお、従来において磁気ヘッドのスライダーとして用いられるセラミック（Ａｌ2 Ｏ3 −ＴｉＣ）のビッカース硬度は１３５０である。従って、このようなスライダーを用いると、高速回転時の接触による衝撃が大きくなり、磁気ディスクおよび磁気ヘッドに大きな損傷を与えてしまうという問題がある。
これに対し、本ディスク装置のように、磁気ヘッドのスライダーの材料として樹脂（アクリル樹脂など）を用いる場合、スライダーの材質硬度を極めて低くできる。このため、スライダーによって磁気ディスクを傷つけてしまうことを確実に回避できる。
【００８０】
従って、本ディスク装置を磁気ヘッドとして構成すれば、磁気ヘッドおよび磁気ディスクに対する付着物による破損と衝撃による機械的な損傷とを、ともに防止することが可能となる。
【００８１】
また、本発明を、ＭＤ（ミニディスク）記録／再生装置のように、光学ピックアップ装置と磁気ヘッドとをともに有する装置に応用することもできる。この場合には、光学ピックアップ装置と磁気ヘッドとのいずれか（あるいは両方）における、ディスクとの接触部位に、磁気ディスクの表面材料との静止摩擦係数が０．４以下の材料を用いることが好ましい。さらに、この接触部位が、１６０℃以下の温度で液化しない（高温で炭化あるいは昇華する、または１６０℃より高温で液化する）材料（樹脂）からなることがさらに好ましい。
【００８２】
また、本ディスク装置を、浮上型の光学ヘッドを用いる構成としてもよい。この場合にも、ヘッドにおける光ディスクとの接触面（レンズプロテクターやスライダー）に、上記したアクリル樹脂のように磁気ディスクの表面材料との静止摩擦係数が０．４以下の材料を用いることが好ましい。さらに、この接触面が、１６０℃以下の温度で液化しない（高温で炭化あるいは昇華する、または１６０℃より高温で液化する）材料（樹脂）からなることがさらに好ましい。
【００８３】
また、本発明のアクセスヘッド（本ヘッド）を、記録媒体に対して情報の記録あるいは再生の少なくとも一方を行う媒体駆動装置に備えられるアクセスヘッドにおいて、記録媒体に近接する摺動部位における記録媒体の表面材料との静止摩擦係数が０．４以下である構成である、と表現することもできる。
【００８４】
本ヘッドは、光ディスク装置や磁気ディスク装置など、記録媒体に対する情報の記録・再生を行う媒体駆動装置に備えられるアクセスヘッドである。
ここで、アクセスヘッドとは、磁気ヘッドや光学ヘッドなどの総称であり、記録媒体にアクセス（近接）して移動しながら、記録媒体からの情報の読み出し、あるいは、記録媒体に対する情報の記録を行う部材である。
【００８５】
本ヘッドのようなアクセスヘッドでは、記録媒体に近接する部位が、一時的あるいは恒常的に、記録媒体に接して、媒体上を摺動（スライド）する可能性がある。
そして、本ヘッドでは、記録媒体に近接する部位（摺動部位；媒体上を摺動する可能性のある部位）が、記録媒体の表面材料との静止摩擦係数が０．４以下である材料から構成されている。
【００８６】
これにより、本ヘッドでは、摺動部位と記録媒体と接触摩擦によって熱が発生しても、摺動部位が溶解（液化）しにくくなっている。従って、本ヘッドでは、摺動部位の材料が溶解して記録媒体の表面に付着することを抑制できる。
また、摺動部位を上記のような材料とすることにより、記録媒体に対して傷を付けることも防止できる。
【００８７】
従って、本ヘッドでは、記録媒体に対する記録・再生を良好に行えるとともに、ユーザーの所有物である媒体駆動装置や記録媒体の損傷を抑制することが可能となる。
【００８８】
なお、上記の数値範囲については、後述する〔発明を実施するための最良の形態〕を参照されたい。
また、このような数値範囲を満足する材料としては、例えば、フッ素系潤滑材含有ポリアセタール樹脂，アクリル系紫外線硬化樹脂，フッ素系潤滑材含有アクリル系紫外線硬化樹脂を挙げられる。
【００８９】
また、記録媒体は、ポリカーボネート樹脂を表面材料とする場合、現状では最も生産が容易となる。また、通常、ポリカーボネート樹脂より軟らかく潤滑性能の低い表面材料を有する光ディスクは生産されないと考えられる。
従って、摺動部位として、ポリカーボネート樹脂に対する静止摩擦係数が０．４以下となる材料を用いることも好ましい。これにより、非常に一般的な記録媒体に対して、傷や付着物を発生させることを防止できる。
【００９０】
また、上記したように、本ヘッドは、光ディスク装置の光学ヘッド（浮上型の光学ヘッドも含む）や、磁気ディスク装置の磁気ヘッドに適用することが可能である。
【００９１】
ここで、本ヘッドを光学ヘッドとする場合は、本ヘッドに、対物レンズと、この対物レンズを保持するレンズプロテクターとを備えることが好ましい。この場合、レンズプロテクターにおける記録媒体との近接面が、上記の摺動部位となる。
【００９２】
上記のような光学ヘッドは、通常、光ディスク装置の光学ピックアップ装置に備えられる。この光学ピックアップ装置は、光学ヘッドを備えた状態で記録媒体上を移動でき、かつ、光学ヘッドの配置（向き）を微調整することの可能なものである。
【００９３】
また、本発明におけるアクセスヘッドの製造方法（本製造方法）は、記録媒体に対して情報の記録あるいは再生の少なくとも一方を行う媒体駆動装置に備えられるアクセスヘッドの製造方法において、記録媒体に近接する摺動部位の材料として、記録媒体の表面材料との静止摩擦係数が、０．４以下の材料を用いることを特徴とする方法である。
【００９４】
本製造方法は、上記した本ヘッドを製造するための方法である。
従って、本製造方法を用いれば、記録媒体と接触摩擦によって溶解（液化）しにくく、また、記録媒体を傷つけない摺動部位を有するヘッドを製造できる。
これにより、記録媒体に対する記録・再生を良好に行えるとともに、ユーザーの所有物である媒体駆動装置や記録媒体の損傷を抑制することが可能となる。
【００９５】
また、通常、光ディスク装置では、記録／再生時には、光ディスクとレンズホルダーとは接触しない。しかしながら、何らかの衝撃が装置に加わったり、ディスク表面に汚れや傷等があり、光学ピックアップ（光学ヘッド２１０；光ヘッド）とディスクのフォーカス状態が突発的に外れたりした場合などに、ディスク表面とレンズホルダーが衝突する可能性がある。
【００９６】
なお、最新の光ディスクであるBlu-ray Discでは、フォーカス状態時におけるディスク表面とレンズホルダーとの距離が非常に近くなっており、より衝突の可能性が高まっている。
さらに、装置にBlu-ray Discが入った状態での移送時（電源ＯＦＦ状態）には、同場所で、非常に多くの衝突を起こす可能性もあるといえる。
【００９７】
また、本発明は、光学ピックアップ装置を備えた光情報記録媒体駆動装置に関し、より詳しくは、光情報記録媒体及び光学ピックアップ装置の損傷の防止を図った光情報記録媒体駆動装置に関するものであるともいえる。また、本発明の目的は、光情報記録媒体及び光学ピックアップ装置の損傷の防止を図った光情報記録媒体駆動装置を提供することにあるともいえる。
【００９８】
また、通常、光ディスク装置では、記録／再生時には、光ディスクとレンズホルダーとは接触しない。しかしながら、何らかの衝撃が装置に加わったり、ディスク表面に汚れや傷等があり、光学ピックアップ（光学ヘッド２１０；光ヘッド）とディスクのフォーカス状態が突発的に外れたりした場合などに、ディスク表面とレンズホルダーが衝突する可能性がある。
【００９９】
なお、最新の光ディスクであるBlu-ray Discでは、フォーカス状態時におけるディスク表面とレンズホルダーとの距離が非常に近くなっており、より衝突の可能性が高まっている。
さらに、装置にBlu-ray Discが入った状態での移送時（電源ＯＦＦ状態）には、同場所で、非常に多くの衝突を起こす可能性もあるといえる。
【０１００】
また、本発明の目的を、光情報記録媒体及び光学ピックアップ装置の損傷の防止を図った光情報記録媒体記録／再生装置を提供と、光学ピックアップ装置が適応されない情報記録媒体、及び磁気／光学ヘッドの損傷の防止を図った情報記録媒体記録／再生装置とを提供にすることにある、ともいえる。また、本ディスク装置は、光情報記録媒体記録／再生装置であるといえる。また、本ディスク装置について、以下のように表現することもできる。すなわち、本ディスク装置では、光ディスク（光情報記録媒体）１００はスピンドルモータ２によって回転され、回転中の光情報記録媒体１００の半径方向に移動する光学ピックアップ装置２００によって光ディスク１００に対する信号の記録及び／又は読取がなされるようになっている。スピンドルモータ２には、図示しないターンテーブルが備えられており、メカデッキ１上に設けられ、光情報記録媒体１００は上記ターンテーブル上に保持された状態で回転される。
【０１０１】
光学ピックアップ装置２００は、メカデッキ上に備えられた図示しないスライドベース上に構成されており、上記スライドベースは、上記ターンテーブルに保持された光情報記録媒体１００の半径方向に移動自在にされている。この結果、光学ピックアップ装置２００はターンテーブル上の光情報記録媒体１００の半径方向にサーボ機構４によって制御され移動することになる。そして、記録系データ制御部５により稼動するレーザー制御回路３によって制御される上記光学ピックアップ装置２００よりレーザー光Ｌを、回転状態にある光情報記録媒体１００へ照射し、光情報記録媒体より反射される反射レーザー光Ｌａが光学ピックアップ装置２００にて受光されることによって、情報の記録及び／又は再生がおこなわれる。また、光学ピックアップ装置が反射レーザー光Ｌａを受光することにより得られた信号は、信号検出回路（媒体信号検出回路）６・信号処理回路８を経て、エラー検出システム７にて処理される。
【０１０２】
また、光学ピックアップ装置２００に関し、以下のように説明することもできる。すなわち、光学ピックアップ装置２００は、レーザー光源２０１（例えば半導体レーザー等）、光検出器２０２とビームスプリッター２０３と、立ち上げミラー２０４と、レンズプロテクター２１２と対物レンズ２１１とを備える。
そして、レーザー光源から出力されたレーザー光Ｌはビームスプリッタ−２０３を透過して立ち上げミラー２０４によって光路を９０°立ち上げられ対物レンズ２１１によって光ディスク１００の光ビーム入射面１０１を透過し信号記録層１０２に集光され、光ディスク１００の信号記録層１０２によって反射された反射レーザー光Ｌａが、光ビーム入射面１０１を透過し、対物レンズ２１１、立ち上げミラー２０４を介してビームスプリッター２０３によって反射されて、光検出器２０２によって受光される。そして、光検出器２０２による上記反射レーザーＬａの受光によってフォーカスエラー信号およびトラッキングエラー信号が得られ、また、再生時には、再生信号が得られる。そして、再生信号を処理することによって、光ディスク１００の信号記録層１０２に記録されている信号の再生がなされる。
【０１０３】
上記対物レンズ２１１は、２軸アクチュエーター２０６によって、フォーカシング方向、すなわち信号再生時の光ディスク１００の信号記録層１０２に対して離接する方向およびトラッキング方向、すなわち信号再生時の光ディスク１００の信号記録層１０２と略平行な方向に移動可能に支持されている。２軸アクチュエーター２０６は、光学ヘッド２１０を備え、この光学ヘッド２１０にレンズプロテクター２１２と対物レンズ２１１が設けられている。上記光学ヘッド２１０は本ディスク装置に固定される支持部２０５に細い弾性を有する線材からなるサスペンション２０９を介してフォーカシング方向、およびトラッキング方向に移動自在に支持されている。
【０１０４】
そして、図示しない磁気回路が形成されており上記検出器２０２から得られるフォーカシング信号およびトラッキング信号に基づいて上記図示しない磁気回路が駆動され、それによって光学ヘッド２１０が上記フォーカシング方向およびトラッキング方向に微動され、対物レンズ２１１によって、光ディスク１００の信号記録層１０２に照射されるレーザー光Ｌが上記信号記録層に形成された記録トラックまたは案内用グルーブをなぞり、且つ記録トラック又は案内用グルーブ上に焦点を結ぶように制御される。また、カバー部２１３は、レンズプロテクター２１２の光ディスク側端面の一部又は全部であってもよい。
【０１０５】
また、本実施の形態において塑性変形硬さの値を用いた理由は、コーティング剤等の比較的薄く軟らかい皮膜の硬さを高精度に相対的な比較するために、コーティングする下地に無関係に硬さを測定する必要があるためであるともいえる（非特許文献１の式（１）参照）。
【０１０６】
また、通常、光ビーム入射面１０１の材料としては、レンズプロテクターの損傷を防止するためにより摺動性の高い材質を用いると考えられる。したがって、現時点では最も生産が容易なポリカーボネートが実質的には、最も摺動性が低い再生面であると考えられる。しかしながら、今後、再生面はアクリル系紫外線硬化樹脂により安価に作られる可能性があり、このような材質を用いる場合は、硬化収縮力を小さくするため（変形を防止）、非常に軟らかい樹脂が用いられる。このように軟らかい材質の場合、一般的に摺動性が悪くなる傾向がある。例えば、透過性の高いシリコーン樹脂などで再生面を形成すると摺動性は非常に悪くなると予想される。
【０１０７】
また、図２に示した本ディスク装置は、信頼性のより高い光学ピックアップ装置を用いているので、本ディスク装置の信頼性も当然向上する。なお、図２に示した本ディスク装置の構成は、基本的な構成を示したものであり、これに限定されるものではない。例えば本ディスク装置のように磁気ヘッドが含まれるような本ディスク装置においても本発明の光学ピックアップシステム装置搭載は可能である。
【０１０８】
また、光情報記録媒体の光ビーム入射面にレンズプロテクターの光情報記録媒体側端面が液化して付着する現象は、特許文献1の従来の手法では十分に防止できないが、レンズプロテクターの光情報記録媒体側端面の一部または全部であるカバー部は、光情報記録媒体光ビーム入射面に対する静止摩擦係数が０．４以下の材料であることを特徴とする光学ピックアップ装置を用いることで防止でき、更に上記カバ−部より軟らかい光ビーム入射面を有する光情報記録媒体を用いた場合でも、傷やカバー部材料の付着等の損傷を低減できるので、光情報記録媒体に対する記録及び／又は再生への悪影響やユーザーの所有物の損傷を低減できる。いいかえれば、光情報記録媒体を安定に記録及び／又は再生でき稼働時間を従来例に比べて長くできる。
【０１０９】
また、上記カバー部は、少なくとも最も摺動性の低い光情報記録媒体光ビーム入射面に対する静止摩擦係数が０．４以下の材料であってもよい。その場合、少なくとも潤滑性のきわめて低い、例えば表面が非常に荒い紫外線硬化樹脂が光ビーム入射面に設けられている光情報記録媒体においても、光情報記録媒体光ビーム入射面に付着することが防止できるので、上記光情報記録媒体より潤滑性の良い光情報記録媒体においても、レンズプロテクター端面あるいはカバー部の材料が光情報記録媒体光ビーム入射面に付着することが防止できる。すなわち、ユーザーが使用する光情報記録媒体に関わらず、光情報記録媒体に対する記録及び／又は再生への悪影響やユーザーの所有物の損傷を低減できる。
【０１１０】
また、カバー部は、ポリカーボネート樹脂に対する静止摩擦係数が０．４以下の材料であってもよい。その場合、少なくとも現状で最も生産が容易な光ビーム照射面にポリカーボネートフィルムを用いた光情報記録媒体において（通常、左記光情報記録媒体より軟らかく潤滑性能の低い光ビーム入射面を有する光情報記録媒体は生産されないものと思われる）、レンズプロテクター端面材料が光情報記録媒体光ビーム入射面に付着することが防止できるため、大部分の光情報記録媒体に対する記録及び／又は再生への悪影響やユーザーの所有物を損傷することが低減できる。
【０１１１】
また、上記カバー部が、アクリル系紫外線硬化樹脂であってもよい。その場合、潤滑性を向上のため潤滑剤を含有させることや、レンズプロテクター端面あるいはカバー部にコーティングすることが比較的容易になる。例えば、アクリル系紫外線硬化樹脂Ｂに、フッ素系潤滑剤を含有させることにより、ポリカーボネート樹脂との静止摩擦係数を容易に０．４以下に低減でき、それを用いたカバー部を有する光学ピックアップ装置と、少なくとも現状で最も生産が容易な光ビーム照射面にポリカーボネートフィルムを用いた光情報記録媒体とで、上記の衝突実験を行った結果、傷も付着物も生じなかった。すなわち、大部分の光情報記録媒体において、レンズプロテクター端面あるいはカバー部の材料が光情報記録媒体光ビーム入射面に付着することが防止でき、且つより傷つきやすいカバー部より硬い光ビーム入射面を有する光情報記録媒体においても傷つきが低減できるので、光情報記録媒体に対する記録及び／又は再生への悪影響やユーザーの所有物を損傷することが低減できる。
【０１１２】
上記に説明した本ディスク装置において、本発明の光学ピックアップ装置を用いた場合、レンズプロテクター端面あるいはカバー部の材料が光情報記録媒体光ビーム入射面に付着することが防止でき、かつ、より傷つきやすいカバー部より硬い光ビーム入射面を有する光情報記録媒体においても傷つきが低減できるので、光ディスクに対する記録および／又は再生への悪影響やユーザーの所有物の損傷を低減できる信頼性のより高い光学ピックアップ装置を用いているので、本ディスク装置の信頼性も当然向上する。なお、図２に示した本ディスク装置の構成は、基本的な構成を示したものであり、これに限定されるものではない。例えば光磁気記録媒体記録／再生装置のように磁気ヘッドが含まれるような本ディスク装置においても本発明の光学ピックアップ装置搭載は可能である。
【０１１３】
また、本発明を、以下の第１〜４光学ピックアップ装置および第１光情報記録媒体駆動装置として表現することもできる。すなわち、第１光学ピックアップ装置は、光情報記録媒体の信号記録層にビーム光を照射することによって上記信号記録層に対する信号の読取及び／又は記録を行う光学ピックアップ装置であって、上記信号記録層にビーム光を照射する対物レンズと、上記対物レンズ周辺に設けられ対物レンズよりも光情報記録媒体側に突出したレンズプロテクターとを備え、上記レンズプロテクターの光情報記録媒体側端面の一部または全部であるカバー部は、光情報記録媒体光ビーム入射面に対する静止摩擦係数が０．４以下の材料である構成である。これにより、レンズプロテクター端面材料が光情報記録媒体光ビーム入射面に付着することが防止でき、且つより傷つきやすいカバー部より硬い光ビーム入射面を有する光情報記録媒体においても傷つきが低減でき、光情報記録媒体に対する記録及び／又は再生への悪影響やユーザーの所有物の損傷を低減でき、より信頼性の高い光学ピックアップ装置を得られる。いいかえれば、光情報記録媒体を安定に記録及び／又は再生できる稼働時間を従来例に比べて長くできる。
【０１１４】
また、第２光学ピックアップ装置は、第１光学ピックアップ装置において、上記カバー部は、少なくとも最も摺動性の低い光情報記録媒体光ビーム入射面に対する静止摩擦係数が０．４以下の材料である構成である。これにより、少なくとも潤滑性のきわめて悪い、例えば表面が非常に荒い紫外線硬化樹脂が光ビーム入射面に設けられている光情報記録媒体においても、レンズプロテクター端面材料が光情報記録媒体光ビーム入射面に付着することが防止できるので、上記光情報記録媒体より潤滑性の良い光情報記録媒体においても、レンズプロテクター端面が溶解（液化）し光情報記録媒体光ビーム入射面に付着することが防止できる。すなわち、ユーザーが使用する光情報記録媒体に関わらず、光情報記録媒体に対する記録及び／又は再生への悪影響やユーザーの所有物の損傷を低減でき、より信頼性の高い光学ピックアップ装置を得られる。
【０１１５】
また、第３光学ピックアップ装置は、第１光学ピックアップ装置において、上記カバー部は、ポリカーボネート樹脂に対する静止摩擦係数が０．４以下の材料である構成である。これにより、少なくとも現状で最も生産が容易な光ビーム照射面にポリカーボネートフィルムを用いた光情報記録媒体において、レンズプロテクター端面材料が光情報記録媒体光ビーム入射面に付着することが防止できるため、光情報記録媒体に対する記録及び／又は再生への悪影響やユーザーの所有物を損傷することが低減でき、より信頼性の高い光学ピックアップ装置を得られる。
【０１１６】
また、第４光学ピックアップ装置は、第１〜３光学ピックアップ装置において、上記カバー部が、アクリル系紫外線硬化樹脂である構成である。これにより、潤滑性を向上のため潤滑剤を含有させることや、レンズプロテクター端面にコーティングすることが比較的容易になり、レンズプロテクター端面材料が光情報記録媒体光ビーム入射面に付着することが防止でき、且つより傷つきやすいカバー部より硬い光ビーム入射面を有する光情報記録媒体においても傷つきが低減できるので、光情報記録媒体に対する記録及び／又は再生への悪影響やユーザーの所有物を損傷することが低減でき、より信頼性の高い安価な光学ピックアップ装置を得られる。
また、第１光情報記録媒体駆動装置は、第１〜４光学ピックアップ装置を備えた構成である。これにより、より信頼性の高い光情報記録媒体駆動装置を得られる。
【０１１７】
また、本発明を、以下の第５〜７光ピックアップ装置、第２光情報記録媒体駆動装置として表現することもできる。すなわち、第５光ピックアップ装置は、光情報記録媒体の信号記録層にビーム光を照射することによって上記信号記録層に対する信号の読取および／または記録を行う光学ピックアップ装置であって、上記信号記録層にビーム光を照射する対物レンズと、上記対物レンズ周辺に設けられ対物レンズよりも光情報記録媒体側に突出したレンズプロテクターとを備え、上記レンズプロテクターの光情報記録媒体側端面の一部または全部であるカバー部は、ポリカーボネート樹脂に対する静止摩擦係数が０.４以下であって、融点が１６０℃以上である樹脂からなる構成である。
【０１１８】
なお、「融点１６０℃以上の樹脂」とは、１６０℃以上の融点を有する樹脂、および、融点が無く液化しない樹脂のことである。この装置は、現時点で最も生産が容易で最も摺動性の悪いポリカーボネート（ＰＣ）製の光記録媒体との間で、摩擦熱が発生しにくい（１６０℃以下）材料をカバー部に使用した光学ピックアップ装置である。従来の光学ピックアップ装置のカバー部は、通常のフッ素系潤滑材含有ポリアセタール樹脂等で作られている。一方、通常のフッ素系潤滑材含有ポリアセタール樹脂とポリカーボネートとの間における静止摩擦係数は０.６である（表１(3)参照）。したがって、第５光ピックアップ装置では、ＰＣとの間で発生する静止摩擦係数が０．４以下となる樹脂をカバー部に用いているので、従来技術とは差異があることになる。従来のカバー部材料である通常のフッ素系潤滑材含有ポリアセタール樹脂では、ＰＣを光入射面に用いた光ディスク（最も安価な光ディスクといえる）を用いた場合静止摩擦係数が０.６と０.４以上になってしまうので、摩擦による発熱が従来カバー部の融点である１６０℃を超え、液化して光ディスク表面に付着してしまう可能性がある（表２(3)参照）。したがって、カバー部をポリカーボネート樹脂に対する静止摩擦係数が０.４以下で融点が１６０以下の樹脂とすることによって、表２(2)で明らかなように、カバー部と記録媒体との間で発生する摩擦熱を１６０℃以下に抑制し、カバー部の液化を防止することができるため、最も安価な最も安価な光ディスクを用いた情報の記録／再生の信頼性を向上させることができる。なお、表１，２により、摩擦による熱を１６０℃に抑制するための条件は、光ディスク表面に対するカバー部の相対的な硬さではなく、摩擦係数によって決まることが分かる。
【０１１９】
また、第６光ピックアップ装置は、第１光ピックアップ装置において、上記カバー部が、アクリル系紫外線硬化樹脂である構成である。この装置は、ＰＣに対する静止摩擦係数が０．４以下であるアクリル系紫外線硬化樹脂をカバー部に使用した光学ピックアップ装置である。従来の光学ピックアップ装置のカバー部は、通常のフッ素系潤滑材含有ポリアセタール樹脂等で作られている。一方、通常のフッ素系潤滑材含有ポリアセタール樹脂とポリカーボネートとの間における静止摩擦係数は０.６である（表１(3)）。したがって、第６光ピックアップ装置ではＰＣとの間で発生する静止摩擦係数が０．４以下となるアクリル系紫外線硬化樹脂をカバー部に用いているので、従来技術とは差異があることになる。従来のカバー部材料である通常のフッ素系潤滑材含有ポリアセタール樹脂では、ＰＣを光入射面に用いた光ディスクを用いた場合、静止摩擦係数が０.６と０.４以上になってしまうので、摩擦による発熱が従来カバー部の融点である１６０℃を超え、液化して光ディスク表面に付着してしまう可能性がある（表２(3)参照）。したがって、カバー部をポリカーボネート樹脂に対する静止摩擦係数が０.４以下で融点が１６０以下の樹脂とすることによって、表２(2)で明らかなように、カバー部と記録媒体との間で発生する摩擦熱を１６０℃以下に抑制し、カバー部の液化を防止することができるため、最も安価な最も安価な光ディスクを用いた情報の記録／再生の信頼性を向上させることができる。
【０１２０】
また、第２光情報記録媒体駆動装置は、第５あるいは第６光ピックアップ装置を用いた構成である。この装置は、ＰＣを光入射面に用いた光記録媒体との間で、摩擦熱が発生しにくい材料をカバー部に使用した光学ピックアップ装置を用いたものである。従来の光記録媒体駆動装置では、光学ピックアップ装置のカバー部は、通常のフッ素系潤滑材含有ポリアセタール樹脂等で作られている。一方、通常のフッ素系潤滑材含有ポリアセタール樹脂とポリカーボネートとの間における静止摩擦係数は０.６である（表１(3)）。したがって、第２光情報記録媒体駆動装置ではＰＣとの間で発生する静止摩擦係数が０．４以下となる材料をカバー部に用いているので、従来技術とは差異があることになる。通常の光記録媒体駆動装置では、光学ピックアップ装置のカバー部は、通常のフッ素系潤滑材含有ポリアセタール樹脂が用いられており、ＰＣを光入射面に用いた光ディスクを用いた場合、静止摩擦係数が０.６と０.４以上になってしまうので、摩擦による発熱が従来カバー部の融点である１６０℃を超え、液化して光ディスク表面に付着してしまい情報の記録／再生が不可能になってしまう可能性があった（表２(3)参照）。したがって、カバー部をポリカーボネート樹脂に対する静止摩擦係数が０.４以下で融点が１６０℃以下の樹脂とすることによって、表２(2)で明らかなように、カバー部と記録媒体との間で発生する摩擦熱を１６０℃以下に抑制し、カバー部の液化を防止することができるため、最も安価な最も安価な光ディスクを用いても、信頼性の高い情報の記録／再生が可能となる光記録駆動装置が提供できる。
【産業上の利用可能性】
【０１２１】
本発明は、光ディスク装置など、光記録媒体に対する情報の記録・再生を行う媒体駆動装置に備えられる光学ヘッドに対して好適なものである。
【図面の簡単な説明】
【０１２２】
【図１】本発明の一実施形態にかかるディスク装置における光学ピックアップ装置の構成を示す説明図である。
【図２】図１に示した光学ピックアップ装置における、光学ヘッドの対物レンズの近傍を示す断面図である。
【図３】図１に示した光学ピックアップ装置を備えた、光ディスク装置の構成を示す説明図である。
【符号の説明】
【０１２３】
１      メカデッキ
２      スピンドルモータ
３      レーザー制御回路
４      サーボ機構
５      記録系データ制御部
６      信号検出回路
７      エラー検出システム
８      信号処理回路
１００  光ディスク（光記録媒体）
１０１  光ビーム入射面
１０２  信号記録層
１０３  基板
２００  光学ピックアップ装置
２０１  光源
２０２  光検出器
２０３  ビームスプリッター
２０４  ミラー
２０５  支持部
２０６  ２軸アクチュエーター
２０９  サスペンション
２１０  光学ヘッド
２１１  対物レンズ
２１２  レンズプロテクター
２１３  カバー部（摺動部位）
Ａ〜Ｅ  アクリル系紫外線硬化樹脂
Ｌ      レーザー光
Ｌａ    反射レーザー光
【図１】
2006107617.tif 000005
【図２】
2006107617.tif 000006
【図３】
2006107617.tif 000007